(57)【要約】【課題】ノズル洗浄の手間を低減しかつノズル詰りによる印刷不良や品質劣化などの印刷時のトラブルを防ぐこと。【解決手段】オフセット印刷機の湿し水を供給する複数個のスプレーノズル２を備え、各ノズルは一列に配置され、湿し水を噴射するためのアウトレットを有する。各ノズル内に設けられた各アウトレットはノズル配列方向Ｘに延びている断面を有し、前記方向に広がっている扇形領域１４に湿し水を噴射する。バッフル２４は少なくともノズル配列方向の各ノズルの両側に配置されており、湿し水の供給および供給停止されるときにノズルへ向かう気流２２を遮る。これによりスプレーノズル付近の気流を断ち、アウトレットにインキや紙粉が付着するのを防止し、ノズル詰まりによる不具合が解消される。【選択図】図２
2005153513.tif 000002
【特許請求の範囲】
【請求項１】
一列に配置され、該配列方向に延びている断面を有し、かつ同方向に規定された扇形領域内に湿し水を供給するアウトレットが各ノズルに形成された複数のスプレーノズルと、
少なくともノズル配列方向の各ノズルの両側に設けられ、湿し水の供給および供給停止されるとき前記ノズルへ向かう気流を遮るバッフルと、
を備えていることを特徴とするオフセット印刷機用湿し水供給装置。
【請求項２】
請求項１において、各ノズルは湿し水供給ローラへ湿し水を供給するよう該ローラの長手方向に配置されていることを特徴とするオフセット印刷機用湿し水供給装置。
【請求項３】
請求項１において、バッフルは各ノズルの周囲に設けられた環状のバッフル壁であることを特徴とするオフセット印刷機用湿し水供給装置。
【請求項４】
請求項１において、各ノズルはそのノズル内に底がノズル配列方向に延びている溝が形成され、該溝底の中央にアウトレットが設けられているとともに、バッフルが前記溝とアウトレットへ向かう気流を遮るようにノズルより高くなっていることを特徴とするオフセット印刷機用湿し水供給装置。
【請求項５】
請求項４において、バッフルは各ノズルの周囲に設けられた環状のバッフル壁であることを特徴とするオフセット印刷機用湿し水供給装置。
【請求項６】
請求項５において、ナットが各ノズルの周囲に設けられ、該ナットでノズルが電磁弁に固定されるとともに、前記ナットにバッフル壁が一体的に形成されていることを特徴とするオフセット印刷機用湿し水供給装置。
【請求項７】
請求項１〜６のいずれかにおいて、バッフルは扇形領域に向かって延びており、かつ前記扇形領域に近い位置が終端であることを特徴とするオフセット印刷機用湿し水供給装置。
【請求項８】
請求項１〜６のいずれかにおいて、請求項１〜６のいずれかにおいて、バッフルは扇形領域に向かって延びており、かつ前記扇形領域に接する位置が終端であることを特徴とするオフセット印刷機用湿し水供給装置。
【発明の詳細な説明】
【技術分野】
【０００１】
本発明はオフセット印刷機における湿し水供給装置に関し、特にスプレーノズルを用いたスプレー式湿し水供給装置に関する。
【背景技術】
【０００２】
従来、オフセット印刷機においては、版面の画線部にはインキを付着させ、かつ非画線部には湿し水によりインキの付着を抑える原理により印刷を行う為に、必要な湿し水の供給はローラの一部を水槽内に浸してそれを回転させて表面に湿し水を付けながら複数のローラを経て版胴に供給する装置やスプレーノズルから水元ローラに湿し水を供給し水着けローラを経て版胴に供給する装置などを使用して行っている。
【０００３】
特許文献１に開示されたスプレー方式は、装置に沿った方向に配列される複数のスプレーノズルを有しており、ノズルの各々には湿し水をスプレーするためのアウトレットが形成されている。ノズルの配列方向に広がりを持たせ扇形に湿し水をスプレーするために、アウトレットは断面がノズルの配列方向に延びたスリットを有する。
この種の方式では湿し水中の溶解成分がノズルに析出したり、或は噴射した湿し水の影響でノズルのまわりに気流が発生しその気流の影響で浮遊しているインキミストがノズルに付着するなどによってノズル詰りの原因となっている。
特に、スプレーノズルの詰まりに関連する気流としては湿し水をスプレーする際に誘引されて、下から上に向けて（ノズルの下方からオリフィス部に向けて）の気流、および湿し水のスプレーを止めた時に、インキミストを含んだ周囲の空気がノズル付近に引き込まれる現象がある。
【０００４】
湿し水はスプレーノズルにより扇状に広がってローラ等に供給され、複数個のスプレーノズルからの扇状の湿し水は少し重なっている。スプレーノズルのノズルスリット部（オリフィス）の両短辺部が詰まると扇の広がり角度が狭くなり、前記の重なりが少なくなり、ローラ等の長さ方向に均一に供給できなくなってしまい印刷トラブルの原因となる。また、ノズルの外周部が多量のインキ、紙粉で汚れると、湿し水のスプレーパターンが悪くなるという問題がある。
【０００５】
この種の問題の対策として、引用文献２には超音波発振子による洗浄方式が開示されている。この超音波洗浄方式ではスプレーノズルのオリフィスの隙間が0.46ｍｍと狭い為に洗浄が困難であり、洗浄時間が長くかかり、非効率な作業となる。また、湿し水をスプレーする際に加圧状態（0.4ＭＰＡ(メガパスカル)）で行なっているため、ノズル詰まりは緻密に硬くなり、この状態で高圧水を衝突させただけでは充分な洗浄ができない。また引用文献３には噴霧ノズルの上流側と下流側を閉止し、噴霧ノズルのある区間を減圧して外気を吸引するか、或は前記区間を流体で加圧し、流体を噴霧することによってその圧力差を利用して目詰まり物を除去する方式が開示されている。
【０００６】
【特許文献１】特許第２,７４６,９７５号
【特許文献２】特開昭５３−５０８３４号公報
【特許文献３】実開平７−２７８４２号公報
【発明の開示】
【発明が解決しようとする課題】
【０００７】
本発明の目的はノズル洗浄の手間を低減しかつノズル詰りによる印刷不良や品質劣化などの印刷時のトラブルを防ぐことができるオフセット印刷機用湿し水供給装置を提供することにある。
【課題を解決するための手段】
【０００８】
請求項１の発明に係るオフセット印刷機用湿し水供給装置は、一列に配置され、該配列方向に延びている断面を有し、かつ同方向に規定された扇形領域内に湿し水を供給するアウトレットが各ノズルに形成された複数のスプレーノズルと、少なくともノズル配列方向の各ノズルの両側に設けられ、湿し水の供給および供給停止されるとき前記ノズルへ向かう気流を遮るバッフルと、を備えていることを特徴とする。
【０００９】
請求項２の発明は、請求項１において、各ノズルは湿し水供給ローラへ湿し水を供給するよう該ローラの長手方向に配置されていることを特徴とする。
【００１０】
請求項３の発明は、請求項１において、バッフルは各ノズルの周囲に設けられた環状のバッフル壁であることを特徴とする。
【００１１】
請求項４の発明は、請求項１において、各ノズルはそのノズル内に底がノズル配列方向に延びている溝が形成され、該溝底の中央にアウトレットが設けられているとともに、バッフルが前記溝とアウトレットへ向かう気流を遮るようにノズルより高くなっていることを特徴とする。
【００１２】
請求項５の発明は、請求項４において、バッフルは各ノズルの周囲に設けられた環状のバッフル壁であることを特徴とする。
【００１３】
請求項６の発明は、請求項５において、ナットが各ノズルの周囲に設けられ、該ナットでノズルが電磁弁に固定されるとともに、前記ナットにバッフル壁が一体的に形成されていることを特徴とする。
【００１４】
請求項７の発明は、請求項１〜６のいずれかにおいて、バッフルは扇形領域に向かって延びており、かつ前記扇形領域に近い位置が終端であることを特徴とする。
【００１５】
請求項８の発明は、請求項１〜６のいずれかにおいて、請求項１〜６のいずれかにおいて、バッフルは扇形領域に向かって延びており、かつ前記扇形領域に接する位置が終端であることを特徴とする。
【発明の効果】
【００１６】
請求項１の発明によれば、スプレーノズルの周囲にバッフルを設けることによりスプレーノズル付近の気流を変化させノズルのアウトレットにインキミストが付着するのを防止し、ノズル詰まりによる不具合が解消される。
【００１７】
請求項２の発明によれば、スプレーノズルから湿し水供給ローラを介して版胴に湿し水を供給する形式のオフセット印刷機用湿し水供給装置へ適用できる。
【００１８】
請求項３の発明によれば、バッフル壁が環状なので、全周方向からの気流を変えることが可能である。
【００１９】
請求項４の発明によれば、簡潔な構造なので、汎用性が高く、現在使用中の装置にも適用可能である。
【００２０】
請求項５の発明によれば、簡潔な構造なので、汎用性が高い装置で、かつ環状バッフルを使うので、より確実にノズルのインキミスト付着防止が可能である。
【００２１】
請求項６の発明によれば、ノズルを電磁弁に固定させるナットにバッフルを一体的に形成させるのでより簡潔な構造となり、部品点数の減少及び安価な製造コストの実現が可能である。
【００２２】
請求項７の発明によれば、バッフル壁の終端と噴射領域との間隔が小さいので、より多くの気流を変えられる。
【００２３】
請求項８の発明によれば、ノズル配列方向からノズルへ向かう気流を遮ることが可能であると共に湿し水の噴射領域（扇形領域）の境界域でスプレーを屈折することにより湿し水の噴射領域（扇形領域）を広げることが出来、湿し水供給ローラー表面の湿し水分布域の重なり部で起きることがある湿し水不足による印刷品質低下を防止できるといった効果も得られる。
【発明を実施するための最良の形態】
【００２４】
本発明はノズル詰りの原因となる湿し水噴射に伴って発生するスプレーノズルのノズルのアウトレットへ向かう気流の方向を変える為、ノズルのアウトレットの外側にバッフルを設けることで実現した。
【実施例１】
【００２５】
図１は、本発明の湿し水供給装置を適用したオフセット印刷機の一部の構成を示す。本装置は版胴２０に中間ローラ１８を介して湿し水供給ローラ１６が配置され、湿し水供給ローラ１６の全幅に亘って、図示の如く一列にＸ方向に複数のノズル２が配置されているスプレーバー６が設けられている。
【００２６】
図２において、本装置は各ノズル２に対応した複数の電磁弁４がスプレーバー６に突設されているとともに、スプレーバー６の内部に連通されている。ナット８はノズル２の周囲に位置されるように、電磁弁４に螺合されるとともに、ノズル２を電磁弁４に固定する。パイプ１０はスプレーバー６の内部に収容され、電磁弁４に接続されており、パイプ１０を通して湿し水を電磁弁４へ送られる。湿し水は電磁弁４を介してノズル２に供給される。
【００２７】
ノズル２には、図３に示すように湿し水を供給するためのアウトレット1２が形成されている。アウトレット1２はノズル配列方向Ｘに広がりを持った扇形領域１４に噴射させる為にＸ方向に延びている断面を有する。扇形領域１４は、図４に示すように角度θ１を持っている。
【００２８】
ノズル２は湿し水供給ローラ１６の長手方向で、かつ湿し水供給ローラ１６に対向して配置されており、湿し水を噴射してローラ表面に供給する。湿し水供給ローラ１６は版胴２０に接触するよう配置された湿し水渡しローラ（中間ローラ）１８を含み、その湿し水渡しローラ１８に接触し、版胴２０に湿し水を供給するために協働する。
【００２９】
気流２２は、図２に示すように湿し水の噴射の影響を受けてノズル配列のＸ方向の各ノズルの両側に向けて特に生ずる。また気流２２は、湿し水の供給及び供給停止時にノズルに向けられる瞬間的な湿し水の噴射に強く影響される。このような環境において、本実施例の装置は少なくとも複数のノズル２の配列方向Ｘの各ノズルの両側にバッフル２4が配置されている。このバッフル２4は湿し水の供給および供給停止されるときにノズルへ向かう気流を遮る。
【００３０】
本実施例によれば、インキや紙粉が気流に乗ってノズルへ向かう事が無くなる。その結果、インキや紙粉に汚れたノズル２を頻繁に洗浄する必要が無くなる。また印刷不良や印刷品質低下を引き起こすことが無い、好ましい扇形領域に湿し水を噴射するために、アウトレット１２がインキや紙粉で詰まるのを防ぐことができる。
【００３１】
本実施例のノズル２は、図４に示すようにノズル内に形成された溝２６を備えており、この溝２６にはノズル配列方向Ｘに延びている溝底２８を持っている。アウトレット１２はノズル配列方向Ｘに延びている断面を有し、ノズル内の溝底２８の中央に設けられている。バッフル２４は溝２6とアウトレット1２へ向かう気流を遮るようにノズルより高くなっている
【００３２】
本装置は溝底２８にインキや紙粉が付着したり、溜まったりすることを防ぐことができる。また、このような構造によれば、アウトレット１２はインキや紙粉で詰まるのを未然に防ぐことができる。更に、バッフル２４は各ノズル２の周りに位置して環状のバッフル壁で構成されている。バッフル壁２４はナット８の一部として形成されている。
【００３３】
このバッフル壁２４はナット８によってノズル２を電磁弁４に固定する際に、本装置へ容易に組み込むことができる。バッフル壁２４はノズル２に向かう気流２２が各ノズル２の両側だけでなく、各ノズルの周囲に発生してもそれを遮ることができる。更に、バッフル壁２４は扇形領域１４に向かって延びており、その扇形領域１４に近い位置が終端である。これにより気流２２を効果的に断つことができるので、気流２２はノズル２へ向けられない。
【００３４】
各ノズルのアウトレット１２が湿し水を噴射することにより、湿し水供給ローラ１６は、図５に示すように湿し水分布域３０になる。ノズル２は、図示の如く、湿し水供給ローラ１６の長手方向に配置されており、そのアウトレット１２がノズル配置方向に断面を有し、扇形領域１４に湿し水を噴射する。湿し水分布域３０は、湿し水供給ローラ１６の長手方向に配置され、図５に仮想的に描かれているアウトレット１２’位置の周りに形成される。更に、湿し水分布域３０が互いに重なり合っている部分３２は、当該領域３０間が湿し水不足にならないようにする。
【００３５】
他の実施形態を説明する。バッフル壁２４の終端が扇形領域１４に接する位置にある場合がある（図６参照）。この場合、バッフル壁２４が作用して湿し水が回り込んで、角度θ1の扇形領域１４−１から角度θ２の扇形領域１４−２の広い領域に変わる。
従って、湿し水分布域３０の重なり合う部分３２は、広がった領域（扇形領域）１４によって拡大される。印刷品質を改善するため、本装置は湿し水供給ローラ１６の全幅に亘って均一に湿し水を供給することができる。
【００３６】
バッフル壁２４は、図７に示すようにネジなどのナット８に設けても良い。またバッフル壁２４は、円断面或いは非円断面の環状であっても良い。更にバッフル壁２４は連続した構造や一部にスリットが形成された非連続な構造であっても良い。
【００３７】
図８に示すバッフル壁２４は扇形領域１４の広がり角度θ１に一致した角度で外方に傾斜した終端３４を持っている。図９に示すバッフル壁２４は外向きに曲げられた終端３６を持っている。図１０に示すバッフル壁２４は内向きに曲げられた終端３８を持っている。図１１に示すバッフル壁２４はノズル配列方向Ｘに各ノズルの両側に配置された一対のバッフル壁４０で構成されている。
【図面の簡単な説明】
【００３８】
【図１】本発明の湿し水供給装置を適用したオフセット印刷機の一部の構成を示す模式図である。
【図２】本発明の実施例である湿し水供給装置の一部断面図である。
【図３】ノズルの平面図である。
【図４】ノズルの断面図である。
【図５】湿し水を受けた湿し水供給ローラの説明図である。
【図６】他の実施例である湿し水供給装置の一部断面図である。
【図７】他の実施例であるノズルの断面図である。
【図８】他の実施例であるノズルの断面図である。
【図９】他の実施例であるノズルの断面図である。
【図１０】他の実施例であるノズルの断面図である。
【図１１】他の実施例であるノズルの平面図である。
【符号の説明】
【００３９】
２    ノズル
４    電磁弁
６    スプレーバー
８    ナット
１０  パイプ
１２  アウトレット
１４  扇形領域
１６  湿し水供給ローラ
１８  湿し水渡しローラ
２０  版胴
２２  気流
２４  バッフル
２６  溝
３０  湿し水分布域
２８  溝底
【図１】
2005153513.tif 000003
【図２】
2005153513.tif 000004
【図３】
2005153513.tif 000005
【図４】
2005153513.tif 000006
【図５】
2005153513.tif 000007
【図６】
2005153513.tif 000008
【図７】
2005153513.tif 000009
【図８】
2005153513.tif 000010
【図９】
2005153513.tif 000011
【図１０】
2005153513.tif 000012
【図１１】
2005153513.tif 000013